(57)【要約】【課題】床上排水方式と床下排水方式とに対応できるとともに、床下排水方式の排水の流れを良くすることが可能な水洗式便器を提供する。【解決手段】便鉢１１と、前記便鉢１１の下流側に連通し、斜め下後方に向かって開口した排水口２３が下流側に形成された排水トラップ２４と、を有する便器本体１０を備えた水洗式便器Ｔであって、前記排水口２３と床の排水管１００とを連結する排水ソケット８１を配置できる配置空間Ｓが、後方に開口して前記排水トラップ２４の下方に形成されている。【選択図】図１
2020037789.tif 000002
【特許請求の範囲】
【請求項１】
便鉢と、前記便鉢の下流側に連通し、斜め下後方に向かって開口した排水口が下流側に形成された排水トラップと、を有する便器本体を備えた水洗式便器であって、
前記排水口と床の排水管とを連結する排水ソケットを配置できる配置空間が、後方に開口して前記排水トラップの下方に形成されている水洗式便器。
【請求項２】
前記排水口に連続するように斜め下後方に向かって傾斜した流入口が形成された流入管部を有する前記排水ソケットを備えている請求項１に記載の水洗式便器。
【請求項３】
前記排水ソケットが、
前記排水口に取り付けられ、下流端部に下方に開口する第１開口が形成された第１管部と、上流端部に上方に開口する第２開口が形成された第２管部と、を有し、
前記第１管部と前記第２管部とを嵌合することで前記第１開口と第２開口とが連通する請求項２に記載の水洗式便器。
【請求項４】
前記配置空間の後方の開口を塞いで前記排水ソケットを覆うカバー部材を備えている請求項１ないし請求項３のいずれか一項に記載の水洗式便器。
【発明の詳細な説明】
【技術分野】
【０００１】
本発明は、水洗式便器に関する。
【背景技術】
【０００２】
従来、便鉢を有し、便鉢の下流側に排水トラップが形成され、排水トラップの下流側に排水口が形成された便器本体を有する水洗式便器が知られている。例えば下記特許文献１に記載された便器本体の排水口は、後方に向かって水平方向に開口している。この便器本体の排水口は、トイレルームの壁に設けられた排水管に接続される。また、この便器本体の排水口は、排水ソケットを用いて、床に設けられた排水管に接続される。これにより、水洗式便器は、壁に設けられた排水管に汚水を排水する床上排水方式と、床に設けられた排水管に汚水を排水する床下排水方式とのどちらにも対応できる。
【先行技術文献】
【特許文献】
【０００３】
【特許文献１】特許第３４５１８４３号公報
【発明の概要】
【発明が解決しようとする課題】
【０００４】
しかしながら、上記のように、便器本体の排水口が水平方向に開口している構成では、便器本体の排水口から排水ソケットに流れ込んだ水が、排水ソケット内で垂直方向に流れを変える。このため、排水の流れが悪くなることが懸念された。
【０００５】
本発明は上記のような事情に基づいて完成されたものであって、床上排水方式と床下排水方式とに対応できるとともに、床下排水方式の排水の流れを良くすることが可能な水洗式便器を提供することを目的とする。
【課題を解決するための手段】
【０００６】
本発明の水洗式便器は、便鉢と、前記便鉢の下流側に連通し、斜め下後方に向かって開口した排水口が下流側に形成された排水トラップと、を有する便器本体を備えた水洗式便器であって、前記排水口と床の排水管とを連結する排水ソケットを配置できる配置空間が、後方に開口して前記排水トラップの下方に形成されているものである。
【発明の効果】
【０００７】
本発明によれば、便器本体の排水口が後方に向かって開口しているから、トイレルームの壁に設けられた排水管に接続できる。また、床下排水方式の排水管に対しては、床の排水管と便器本体の排水口とを連結する排水ソケットを排水トラップの下方の配置空間に配置して接続できる。そして、便器本体の排水口から排水ソケットには、斜め下方に水が流れ込むため、排水の流れを良くすることができる。したがって、床上排水方式と床下排水方式とに対応できるとともに、床下排水方式の排水の流れを良くすることができる。
【図面の簡単な説明】
【０００８】
【図１】実施例１における水洗式便器であって、床下排水方式に対応した状態を示す断面図
【図２】床下排水方式に対応した状態の水洗式便器であって、カバー部材を取り付ける前の状態を示す背面図
【図３】床下排水方式に対応した状態の水洗式便器であって、カバー部材を取り付けた状態を示す背面図
【図４】第１床上排水方式に対応した状態の水洗式便器を示す断面図
【図５】第２床上排水方式に対応した状態の水洗式便器を示す断面図
【図６】実施例２における水洗式便器であって、床下排水方式に対応した状態を示す断面図
【発明を実施するための形態】
【０００９】
本発明の好ましい形態を以下に示す。
本発明の水洗式便器は、前記排水口に連続するように斜め下後方に向かって傾斜した流入口が形成された流入管部を有する前記排水ソケットを備えているものとしてもよい。このような構成によれば、便器本体の排水口と排水ソケットの流入口とが同方向に連続するから、床下排水方式において排水の流れを良くすることができる。
【００１０】
また、本発明の水洗式便器は、前記排水ソケットが、前記排水口に取り付けられ、下流端部に下方に開口する第１開口が形成された第１管部と、上流端部に上方に開口する第２開口が形成された第２管部と、を有し、前記第１管部と前記第２管部とを嵌合することで前記第１開口と第２開口とが連通するものとしてもよい。従来、床下排水方式に対応した便器本体の排水口は下方に開口し、床の排水管は上方に開口している。このため、床下排水方式の水洗式便器の設置は、床の排水管の開口の上方に、便器本体の排水口の位置を合わせ、便器本体を下方に下ろすようにして、床の排水管に便器本体の排水口を接続していた。本発明の構成によれば、第２開口の上方に、第１開口の位置を合わせ、便器本体を下方に下ろすようにして第１開口と第２開口とを接続し排水流路を形成できる。すなわち、従来と同様の施工方法で床下排水式の便器を設置できる。
【００１１】
また、本発明の水洗式便器は、前記配置空間の後方の開口を塞いで前記排水ソケットを覆うカバー部材を備えているものとしてもよい。このような構成によれば、水洗式便器の見た目及び清掃性を良くすることができる。
【００１２】
＜実施例１＞
以下、本発明を具体化した実施例１について、図１〜図５を参照しつつ詳細に説明する。本実施例における水洗式便器Ｔは、床置き式の便器であり、便鉢１１を有する便器本体１０を備えている。以下、各構成部材において、図１の上側（水洗式便器Ｔを床面１０５に設置した状態における上側）を上方、下側を下方、右側を前方、左側を後方として説明する。
【００１３】
便鉢１１は、上端部の概ね全周に設けられた立面部１２と、立面部１２の下方に連なって設けられた鉢面部１３と、鉢面部１３の下方に連なって設けられた凹部１４と、を具備している。
【００１４】
立面部１２は、上下方向に立った形態をなし、図示しない吐水口が開口している。鉢面部１３は、鉢状をなし、立面部１２の下端から凹部１４に向かって次第に下がる傾斜をなしている。凹部１４は、下方に凹んだ形状をなし、便鉢１１の前後方向における後ろ寄りに位置している。凹部１４の底壁１５は略水平をなしている。底壁１５には、排水路２１に連通する便鉢開口部１６が形成されている。立面部１２の吐水口から吐出された洗浄水は、便鉢１１の内面（立面部１２及び鉢面部１３）に沿って旋回しつつ流下し、凹部１４に流れ込む。
【００１５】
便器本体１０には、汚水を排水する排水路２１を形成する排水管部２２が設けられている。排水管部２２は便鉢１１の底壁１５から後側に延びている。
排水路２１は、便鉢開口部１６から斜め後方へ下がる第１排水路２１Ｆと、第１排水路２１Ｆの下流端から斜め後方へ上る第２排水路２１Ｓと、第２排水路２１Ｓの下流端から斜め後方へ下がる第３排水路２１Ｔとを有している。
【００１６】
第２排水路２１Ｓの上端より下方に位置する第２排水路２１Ｓ、第１排水路２１Ｆ、及び凹部１４の下部に洗浄水が滞留され水封が形成される。すなわち便鉢１１の下部と排水管部２２とにより排水トラップ２４が形成されている。
【００１７】
第３排水路２１Ｔの下流側には、排水口２３が連なっている。排水口２３は、斜め下後方に向かって開口している。排水口２３の軸線２３Ｚは、重力の方向と直角をなす水平面に対して１０度の傾斜をなしている。排水口２３は、排水管部２２のうち便器本体１０の後壁３４から斜め下後方に突出した排水突出管部２２Ａに形成されている。
【００１８】
便器本体１０は、下端が床面１０５に設置されるスカート部３１を有している。スカート部３１は、便鉢１１の周囲を包囲する外壁３２と、外壁３２の内側に設けられた内壁３３と、便鉢１１の後側に設けられた後壁３４とを備えている。
【００１９】
外壁３２は、便鉢１１の上端（立面部１２の上端）から外方に向かって略水平に延出した水平壁３５の外周縁から下方に垂下している。内壁３３は、凹部１４の底壁１５から下方に垂下している。内壁３３の前面部３３Ｆは、上端から下端に向かって前方に延出し、外壁３２の下端に繋がっている。後壁３４は、排水管部２２の周囲から略垂直に垂下している。
【００２０】
排水トラップ２４の下方には、排水口２３と床の排水管１００とを繋ぐ排水ソケット４０を配置できる配置空間Ｓが設けられている。
配置空間Ｓは、排水トラップ２４の真下に位置している。配置空間Ｓは、排水管部２２、便鉢１１、及びスカート部３１によって周囲を囲まれ、下方が開放された空間である。
【００２１】
配置空間Ｓは、後壁３４に形成された開口部３６により、後方に開口している。開口部３６は、図２に示すように、後壁３４のうち排水突出管部２２Ａより下側の部分に形成されている。開口部３６は、横長の方形状をなし、後述する排水ソケット４０の水平部４５Ｈを前後方向に通すことができる大きさを有している。開口部３６の幅寸法（図２の左右方向の寸法）は、排水ソケット４０のフランジ部５２の幅寸法より大きくされている。
【００２２】
排水ソケット４０は、図１に示すように、排水口２３に連通する流入口４１が形成された流入管部４２と、床の排水管１００に連通する流出口４３が形成された流出管部４４と、流入管部４２と流出管部４４とを繋ぐ本体管部４５とを有している。
【００２３】
流入口４１は、排水口２３に連続するように斜め下後方に向かって傾斜している。すなわち流入口４１の軸線４１Ｚは、排水口２３の軸線２３Ｚと同様、水平面に対して１０度の傾斜をなしている。流入口４１の高さ位置は、排水ソケット４０を床に固定した状態で、便器本体１０の排水口２３の高さ位置に整合する。
【００２４】
流入管部４２は、流入口４１の軸線４１Ｚに沿って傾斜した傾斜部４２Ｋと、傾斜部４２Ｋの下端から下方に垂下した垂下部４２Ｓとを有している。垂下部４２Ｓには、下方（垂直方向下向き）に開口して本体管部４５に連なる下端開口４６が形成されている。
【００２５】
流入管部４２の流入口４１には、弾性材料により形成されたパッキン６０が取り付けられている。パッキン６０は、流入管部４２の外周側に嵌合する環状をなす外嵌部６１と、流入管部４２の内周側に延出する延出部６２とを有している。流入管部４２の流入口４１に便器本体１０の排水突出管部２２Ａが挿入されると、延出部６２が排水突出管部２２Ａの外周面と流入管部４２の内周面とに密着した状態になり、流入管部４２と排水突出管部２２Ａとが接続される。
【００２６】
本体管部４５は、流入管部４２の下流側に連続する。本体管部４５は、水平方向に延びる水平部４５Ｈを有している。水平部４５Ｈは、便器本体１０の排水口２３と床の排水管１００との距離に対応するように、長さ寸法を調節することができるアジャスタ部となる。水平部４５Ｈの上流側には、上方に開口して流入管部４２の下端開口４６に連通する上端開口４７が形成されている。水平部４５Ｈの下流側には、水平方向に開口して流出管部４４に連通する前端開口４８が形成されている。
【００２７】
流出管部４４には、後側に向かって水平方向に開口し、本体管部４５の前端開口４８に連なる後端開口４９と、下方に（垂直下向き）に開口して床の排水管１００に連なる流出口４３とが形成されている。流出管部４４には、床に接続されるフランジ部５２が備えられている。
【００２８】
水洗式便器Ｔには、配置空間Ｓの後方の開口を塞ぎ、かつ排水ソケット４０を覆うカバー部材７０が備えられている。カバー部材７０は、板金等の不燃材料で形成されているため、排水ソケット４０がカバー部材７０により被覆され、全体として耐火構造となる。
【００２９】
カバー部材７０は、排水ソケット４０の後側を覆う後カバー部７１と、排水ソケット４０の上側を覆う上カバー部７２と、排水ソケット４０の両側を覆う一対の側カバー部７３と、を備えている（図３参照）。後カバー部７１及び一対の側カバー部７３は床面１０５に対して略垂直に立ち、上カバー部７２は床面１０５に対して略平行に配される。上カバー部７２は、排水突出管部２２Ａの上側を覆っている。上カバー部７２の前端は、便器本体１０の後面に当接または近接する。
【００３０】
次に、本実施例における水洗式便器Ｔの設置作業の一例を説明する。この水洗式便器Ｔは、便器本体１０の床に設けられた排水管１００に汚水を排水する床下排水方式（図１参照）と、トイレルームの壁に設けられた排水管１０１に汚水を排水する床上排水方式（図４及び図５参照）とのどちらにも対応できる。床上排水方式には、トイレルームの壁に設けられた排水管１０１の流入口１０１Ｍが水平方向に開口する場合と、斜め方向に開口する場合との２つの方式がある。２つの床上排水方式のうち、図４に示すように、流入口１０１Ｍが水平方向に開口する排水管１０１（以後、第１排水管１０１Ｆと称する）に水洗式便器Ｔの汚水を排水する方式を第１床上排水方式、図５に示すように、流入口１０１Ｍが斜め方向に開口する排水管１０１（以後、第２排水管１０１Ｓと称する）に水洗式便器Ｔの汚水を排水する方式を第２床上排水方式と称する。
【００３１】
まず、床下排水方式の施工方法について説明する（図１参照）。床の排水管１００は、壁からの水平方向の距離が様々な位置に配されている。一般に、床の排水管１００の壁からの距離は、１２０ｍｍ、２００ｍｍ、または２００〜５５０ｍｍとされている。この方式に対応する場合、便器本体１０の排水口２３と床の排水管１００とを繋ぐ排水ソケット４０を用いる。
【００３２】
床の排水管１００の位置及び水洗式便器Ｔの設置位置から、便器本体１０の排水口２３と床の排水管１００とを繋ぐのに適した排水ソケット４０を用意する。ここでは、図１に示すように、水平部４５Ｈを有する排水ソケット４０を用いる場合を例示する。排水ソケット４０の水平部４５Ｈは、現場毎に適した長さ寸法とされている。排水ソケット４０の流入管部４２、流出管部４４及び本体管部４５は接着されている。
【００３３】
最初に、床の排水管１００に排水ソケット４０を接続する。床の排水管１００に、排水ソケット４０の流出管部４４を嵌合して固定する。このとき、排水ソケット４０の流入口４１が、所定の位置に配されるように排水ソケット４０の水平方向の向きを調整する。排水ソケット４０が床の排水管１００に接続された状態において流入口４１は斜め前上方に開口している。
【００３４】
次に、便器本体１０の排水突出管部２２Ａを排水ソケット４０の流入管部４２に接続するべく、便器本体１０を持ち上げて若干傾け、排水突出管部２２Ａを流入管部４２に挿入する。そして、排水ソケット４０に便器本体１０を被せるようにして便器本体１０を床面１０５に降ろす。すると、排水ソケット４０の水平部４５Ｈの前側部分及び流出管部４４は配置空間Ｓに収まり、排水ソケット４０の水平部４５Ｈは、便器本体１０の後壁３４の開口部３６を前後方向に貫通した状態になる。
【００３５】
次に、カバー部材７０を取り付ける。排水ソケット４０のうち便器本体１０の後側に露出している部分（水平部４５Ｈの後端部及び流入管部４２）を覆うようにしてカバー部材７０を取り付ける。カバー部材７０によって、排水ソケット４０の露出部分全体が覆われるとともに、便器本体１０の開口部３６の全体が塞がれる。
以上により、床下排水方式の水洗式便器Ｔの設置作業が完了する。
【００３６】
次に、第１床上排水方式の施工方法について説明する（図４参照）。第１排水管１０１Ｆは、床面１０５から高さ１２０ｍｍの位置に配されている。第１床上排水方式の施工には、第１排水管１０１Ｆの流入口１０１Ｍと便器本体１０の排水口２３とを繋ぐ排水ソケット（以後、床上排水ソケット１０６と称する）を用いる。床上排水ソケット１０６は、第１排水管１０１Ｆ側から便器本体１０の排水口２３側に向けて上る傾斜をなしている。床上排水ソケット１０６の上流端には、便器本体１０の排水口２３に連続するように傾斜した流入口１０７が形成されている。流入口１０７は、水平面に対して１０度の勾配で斜め前上方に開口している。
【００３７】
まず、床上排水ソケット１０６を第１排水管１０１Ｆに接続する。床上排水ソケット１０６の下流端部を、第１排水管１０１Ｆの上流端部（流入口１０１Ｍ）に差し込んで接着剤により固定する。
【００３８】
次に、床上排水ソケット１０６の上流端部（流入口１０７）に便器本体１０の排水口２３を接続する。便器本体１０を持ち上げて若干傾け、排水突出管部２２Ａを流入口１０７に挿入して接続し、便器本体１０を床面１０５に降ろす。
以上により、第１床上排水方式の水洗式便器Ｔの設置作業が完了する。
【００３９】
次に、第２床上排水方式の施工方法について説明する（図５参照）。第２排水管１０１Ｓは、床面１０５から高さ１４８ｍｍの位置に配された水平排水管部１０２と、水平排水管部１０２の前端（上流端）から斜め前上方に傾斜した傾斜排水管部１０３とを有している。傾斜排水管部１０３は、水平面に対して１０度の角度で斜め上方に延びている。便器本体１０を持ち上げて若干傾け、排水突出管部２２Ａを流入口１０１Ｍに挿入して接続し、便器本体１０を床面１０５に降ろす。
以上により、第２床上排水方式の水洗式便器Ｔの設置作業が完了する。
【００４０】
次に、上記のように構成された実施例の作用および効果について説明する。
本実施例の水洗式便器Ｔは、便鉢１１と、便鉢１１の下流側に連通し、斜め下後方に向かって開口した排水口２３が下流側に形成された排水トラップ２４と、を有する便器本体１０を備えている。排水トラップ２４の下方には、排水口２３と床の排水管１００とを繋ぐ排水ソケット４０を配置できる配置空間Ｓが、後方に開口して設けられている。
【００４１】
この構成によれば、便器本体１０の排水口２３が後方に向かって開口しているから、トイレルームの壁に設けられた排水管１０１に接続できる。また、床下排水方式の排水管１００に対しては、床の排水管１００と便器本体１０の排水口２３とを連結する排水ソケット４０を排水トラップ２４の下方の配置空間Ｓに配置して接続できる。そして、便器本体１０の排水口２３が斜め下方に向かって開口しているから、便器本体１０の排水口２３から排水ソケット４０には、斜め下方に水が流れ込むため、排水の流れを良くすることができる。したがって、床上排水方式と床下排水方式とに対応できるとともに、床下排水方式の排水の流れを良くすることができる。
【００４２】
また、便器本体１０の排水口２３が斜め下方に開口しているから、排水ソケット４０の流入管部４２の前後方向の寸法（水平方向の寸法）を従来に比して小さくできる。すなわち、便器本体の排水口が水平方向に開口している従来のものは、排水ソケットの流入管部が水平に延びる部分と垂直に延びる部分とを有するのに対し、本実施例の排水ソケット４０の流入管部４２は傾斜部４２Ｋと垂下部４２Ｓとを有している。流入管部４２の傾斜部４２Ｋの前後方向の寸法（水平方向の寸法）と、従来の流入管部の水平部分の前後方向の寸法とは、流路の長さが同じである場合、傾斜部４２Ｋの方が小さくなる。よって、本実施例の水洗式便器Ｔによれば、従来よりも排水ソケット４０の後端を前側に位置することができ、便器本体１０を後方（トイレルームの壁に近い側）に配置できる。また、本実施例の水洗式便器Ｔは、便器本体１０の排水口２３から排水ソケット４０に勢いよく水が流れ込むため、仮に排水ソケット４０の内径寸法を従来に比して小さくしても、排水の勢いを保つことができる。よって、本実施例の水洗式便器Ｔによれば、従来よりも排水ソケット４０の径寸法を小さくし、便器本体１０をより後方（トイレルームの壁に近い側）に配置できる。
【００４３】
また、本実施例の水洗式便器Ｔによれば、第１床上排水方式の第１排水管１０１Ｆに対しては、壁の第１排水管１０１Ｆの流入口１０１Ｍと便器本体１０の排水口２３とを繋ぐ床上排水ソケット１０６を用いて接続できる。第２床上排水方式の第２排水管１０１Ｓに対しては、便器本体１０の排水口２３が斜め下後方に向かって開口しているから直接的に接続できる。したがって、一つの便器本体１０で床下排水方式と第１排水管１０１Ｆ及び第２排水管１０１Ｓの床上排水方式とに対応することができる。
【００４４】
これにより、従来、第１排水管１０１Ｆ用の便器本体と第２排水管１０１Ｓ用の便器本体とをそれぞれ開発、製造していたところ、そのように開発、製造をしなくてすむ。また、従来、施工業者は、第１排水管１０１Ｆ用の便器本体と第２排水管１０１Ｓ用の便器本体とのいずれかを選択して手配する必要があったけれども、そのような選択が不要であるから、手配の煩雑さを解消できる。さらに、従来、第１排水管１０１Ｆ用の便器本体と第２排水管１０１Ｓ用の便器本体とを間違えて手配すると、便器本体自体を交換する必要があったけれども、本構成によれば、便器本体１０を交換することなく、排水ソケット４０等の交換で済む。
【００４５】
また、水洗式便器Ｔは、排水口２３に連通する流入口４１が形成された流入管部４２と、床の排水管１００に連通する流出口４３が形成された流出管部４４とを有する排水ソケット４０を備え、流入口４１が、排水口２３に連続するように斜め下後方に向かって傾斜している。この構成によれば、便器本体１０の排水口２３と排水ソケット４０の流入口４１とが同方向に連続するから、床下排水方式において排水の流れを良くすることができる。
【００４６】
また、水洗式便器Ｔは、配置空間Ｓの後方の開口を塞ぎ、かつ排水ソケット４０を覆うカバー部材７０を備えている。この構成によれば、水洗式便器Ｔの見た目及び清掃性を良くすることができる。
【００４７】
＜実施例２＞
次に、本発明を具体化した実施例２に係る水洗式便器８０を図６によって説明する。
本実施例の水洗式便器８０は、排水ソケット８１が、下方に開口する第１開口８４が形成された第１管部８５と、上方に開口する第２開口８２が形成された第２管部８３と、に分割されている点で、実施例１とは相違する。なお、実施例１と同様の構成には同一符号を付して重複する説明を省略する。
【００４８】
本実施例に係る水洗式便器８０は、実施例１と同様の構成を有する便器本体１０を備えている。すなわち便器本体１０は、便鉢１１と、便鉢１１の下流側に連通し、斜め下後方に向かって開口した排水口２３が下流側に形成された排水トラップ２４と、を有し、排水トラップ２４の下方には、排水ソケット８１を配置できる配置空間Ｓが、後方に開口して設けられている。
【００４９】
排水ソケット８１は、実施例１と同様、排水口２３に連通する流入口４１が形成された流入管部４２と、床の排水管１００に連通する流出口４３が形成された流出管部４４と、流入管部４２と流出管部４４とを繋ぐ本体管部４５とを有している。流入口４１は、実施例１と同様、排水口２３に連続するように斜め下後方に向かって傾斜し、流入管部４２は、流入口４１の軸線４１Ｚに沿って傾斜した傾斜部４２Ｋと、傾斜部４２Ｋの下端から下方に垂下した垂下部４２Ｓとを有している。本体管部４５は、実施例１と同様、水平に延びる水平部４５Ｈを有している。
【００５０】
流入管部４２は、第１管部８５を構成し、予め便器本体１０の排水突出管部２２Ａに取り付けられる。垂下部４２Ｓの下端開口４６が、下方（鉛直方向下向き）に開口する第１開口８４を構成している。
【００５１】
本体管部４５及び流出管部４４は、第２管部８３を構成し、本体管部４５の上端開口４７が、上方（鉛直方向上向き）に開口する第２開口８２を構成している。第２開口８２には、弾性材料により形成されたパッキン６０が取り付けられている。パッキン６０は、実施例１のパッキン６０と同様の構成を有し、第２管部８３の外周側に嵌合する環状をなす外嵌部６１と、第２管部８３の内周側に延出する延出部６２とを有している。
【００５２】
次に、本実施例の排水ソケット８１を用いた床下排水方式の施工方法の一例を説明する。
まず、床の排水管１００に排水ソケット８１の第２管部８３を接続する。床の排水管１００に、第２管部８３の流出管部４４を嵌合して固定する。このとき、第２管部８３の第２開口８２が、所定の位置に配されるように第２管部８３の水平方向の向きを調整する。第２管部８３が床の排水管１００に接続された状態において、第２開口８２は鉛直方向上向きに開口する。
【００５３】
また、便器本体１０の排水突出管部２２Ａに第１管部８５を接続する。第１管部８５の第１開口８４が、便器本体１０の下側に向くようにして、便器本体１０の排水突出管部２２Ａと第１管部８５の流入管部４２とを嵌合して固定する。
【００５４】
次に、便器本体１０に取り付けられた第１管部８５と床に固定された第２管部８３とを接続する。便器本体１０を持ち上げ、第１管部８５の垂下部４２Ｓを第２管部８３の第２開口８２に鉛直方向下向きに挿入する。すると、パッキン６０の延出部６２が第１管部８５の外周面と第２管部８３の内周面とに密着した状態になり、第２管部８３と第１管部８５とが接続される。また、排水ソケット８１に便器本体１０を被せるようにして、便器本体１０を床面１０５に降ろす。排水ソケット８１の大部分は配置空間Ｓに収まり、排水ソケット８１の水平部４５Ｈは、便器本体１０の後壁３４の開口部３６を前後方向に貫通した状態になる。
以上により、床下排水方式の水洗式便器８０の設置作業が完了する。
【００５５】
本実施例の排水ソケット８１を用いることにより、従来の床下排水方式と同様の施工方法で、水洗式便器８０を設置できる。すなわち従来、床下排水方式に対応した便器本体の排水口は下方に開口し、床の排水管は上方に開口している。このため、床下排水方式の水洗式便器の設置は、床の排水管の開口の真上に、便器本体の排水口の位置を合わせ、便器本体を真下に下ろすようにして排水口を排水管に接続していた。本実施例の排水ソケット８１によれば、第２開口８２の位置に、第１開口８４の位置を合わせ、便器本体１０を下方に下ろすようにして第２開口８２と第１開口８４とを接続し排水流路を形成できる。すなわち、従来と同様の施工方法で床下排水式の便器を設置できる。
【００５６】
＜他の実施例＞
本発明は上記記述及び図面によって説明した実施例に限定されるものではなく、例えば次のような実施例も本発明の技術的範囲に含まれる。
（１）上記実施例では、便器本体１０のスカート部３１の形状を例示したが、これに限らず、スカート部の形状は変更でき、またそれに伴ってスカート部に囲まれてなる配置空間の形状、大きさを変更できる。
（２）上記実施例では、配置空間Ｓが、後壁３４に形成された開口部３６により後方へ開口しているが、これに限らず、スカート部が後壁を有さないことにより、配置空間が後方へ開口してもよい。
（３）上記実施例では、カバー部材７０が不燃材料で形成されているが、これに限らず、カバー部材は不燃材料で形成されていなくてもよく、このような場合、カバー部材により排水ソケットが隠されるから水洗式便器の見た目及び清掃性を良くすることができる。
（４）上記実施例では、排水ソケット４０が水平部４５Ｈ（アジャスタ部）を有しているが、これに限らず、排水ソケットは、床の排水管の位置と水洗式便器を設置する位置との関係に応じて適したものを使用すればよく、例えば排水ソケットは水平部を有しないＳ字形状をなすものであってもよい。
【符号の説明】
【００５７】
Ｓ…配置空間
Ｔ，８０…水洗式便器
１０…便器本体
１１…便鉢
２３…排水口
２４…排水トラップ
４０，８１…排水ソケット
４１…流入口
４２…流入管部
７０…カバー部材
８２…第２開口
８３…第２管部
８４…第１開口
８５…第１管部
１００…床の排水管
【図１】
2020037789.tif 000003
【図２】
2020037789.tif 000004
【図３】
2020037789.tif 000005
【図４】
2020037789.tif 000006
【図５】
2020037789.tif 000007
【図６】
2020037789.tif 000008